(57)【特許請求の範囲】
【請求項１】
容器の口部を保持する容器保持具と、
前記容器保持具に保持された前記容器に電子線を照射して前記容器を殺菌する電子線殺菌部と、
前記容器の口部に前記容器の軸線方向に直交する方向の磁界を印加し、前記電子線殺菌部により前記容器の口部側から前記容器の前記軸線方向に向けて照射される電子線を前記磁界により偏向させる磁石部と、を備え、
前記容器保持具は、前記磁石部を有し、
前記磁石部は、前記容器保持具が保持する前記容器の前記軸線方向における前記口部の位置に配置されている、
ことを特徴とする電子線殺菌装置。
【請求項２】
前記磁石部は、永久磁石からなることを特徴とする請求項１に記載の電子線殺菌装置。
【請求項３】
前記磁石部は、電磁石からなることを特徴とする請求項１に記載の電子線殺菌装置。
【請求項４】
前記電子線殺菌部で前記電子線を前記容器に照射している間に、前記電磁石を構成するコイルに供給される電流がＯＮ／ＯＦＦまたは前記電流の大きさが増減制御されることを特徴とする請求項３に記載の電子線殺菌装置。
【請求項５】
前記磁石部による磁界が、前記容器の前記口部を横切るように印加されることを特徴とする請求項１から４のいずれか一項に記載の電子線殺菌装置。
【請求項６】
前記磁石部による磁界が、前記容器の口部の外周側に磁力線が位置するよう印加されることを特徴とする請求項１から５のいずれか一項に記載の電子線殺菌装置。
【請求項７】
前記容器の口部の近傍に配置され、前記容器の側方に位置する前記電子線殺菌部から照射される電子線を反射して前記口部から前記容器の内部に照射する反射部材をさらに備えることを特徴とする請求項１から６のいずれか一項に記載の電子線殺菌装置。
【請求項８】
前記容器の前記口部から前記容器の内部に挿入配置され、導電性材料からなる棒状の電極をさらに備えることを特徴とする請求項１から７のいずれか一項に記載の電子線殺菌装置。
【請求項９】
前記電子線殺菌装置は、前記容器の一方の側から前記電子線を照射する第一の電子線殺菌装置と、前記容器の他方の側から前記電子線を照射する第二の電子線殺菌装置と、から構成されていることを特徴とする請求項１から８のいずれか一項に記載の電子線殺菌装置。
【発明の詳細な説明】
【技術分野】
【０００１】
本発明は、食品・飲料・医薬品等が充填される容器を電子線により殺菌する電子線殺菌装置に関する。
【背景技術】
【０００２】
食品・飲料・医薬品等の充填物を容器に充填する充填工程においては、容器に充填物を充填するのに先立ち、容器の殺菌が行われる。
容器の殺菌には、過酢酸・過酸化水素といった薬液や紫外線照射が多く用いられているが、近年、紫外線よりも殺菌力に勝る電子線照射による殺菌技術が注目され、鋭意開発が行われている。
【０００３】
ここで、殺菌を確実に行うには、容器の全体に電子線を確実に照射することが必要となる。
そこで、容器の周囲に複数の磁場からなる磁場バリアを形成し、この磁場バリアによって、電子線を偏向させて容器の内壁や外壁に電子線を照射させることが提案されている（例えば、特許文献１参照。）
また、容器の周囲に磁界を形成し、この磁界自体を容器の周囲で回転させたり、磁界を固定し、容器を回転させたりすることで、容器に電子線を確実に照射させることが提案されている（例えば特許文献２参照。）。
【０００４】
しかし、容器の口部近傍の部分は、キャップをねじ込むためのネジ溝が形成される等、形状が複雑で、肉厚も大きく、また容器内に内容物を充填するときにはグリッパ等と称される保持部材によって容器が保持される部分であるため、上記したような技術を適用しても、容器の口部近傍は、電子線照射による殺菌を行いにくい。
そこで、容器の上方から電子線を照射すると共に偏向器により電子線を偏向して容器の影になる部分に電子線を照射させるものがある（例えば、特許文献３参照。）。
【先行技術文献】
【特許文献】
【０００５】
【特許文献１】特許第４５１６９０９号公報
【特許文献２】特許第４３７２７４１号公報
【特許文献３】特開２００２−３０８２２９号公報
【発明の概要】
【発明が解決しようとする課題】
【０００６】
しかしながら、上記したような従来の技術においては、いずれも構造が複雑となり、装置の大型化、高コスト化に繋がる。
また、電子線を容器の側面から照射する系においては、電子線が最も照射されにくい場所は、グリッパによって保持される容器の口部の内周面であり、この部分に対する電子線の照射については、改善の余地がある。
本発明は、このような技術的課題に基づいてなされたもので、装置の大型化、高コスト化を招くことなく、簡易な構成で、特に容器の口部内周面への電子線照射を確実に行うことのできる電子線殺菌装置を提供することを目的とする。
【課題を解決するための手段】
【０００７】
かかる目的のもとになされた本発明の電子線殺菌装置は、容器の口部を保持する容器保持具と、容器保持具に保持された容器に電子線を照射して容器を殺菌する電子線殺菌部と、容器の口部に容器の軸線方向に直交する方向の磁界を印加し、電子線殺菌部により容器の口部側から容器の軸線方向に向けて照射される電子線を磁界により偏向させる磁石部と、を備え、容器保持具は、磁石部を有し、磁石部は、容器保持具が保持する容器の軸線方向における口部の位置に配置されていることを特徴とする。
本発明によれば、容器の口部に容器の軸線方向に直交する方向の磁界を印加して、電子線殺菌部により容器の口部側から容器の軸線方向に向けて照射される電子線を磁界により偏向させることができる。これにより、容器の口部に電子線を確実に照射することができる。
【０００８】
ここで、磁石部は、容器保持具の表面に設けることができる。また、磁石部は、容器保持具自体が磁石からなることで形成してもよい。さらに、磁石部は、容器保持具に内蔵されていても良い。
【０００９】
磁石部は、永久磁石からなるものとしても良いし、電磁石からなるものとしても良い。電磁石を用いる場合、電磁石を構成するコイルに供給される電流を変化させることで、偏向の度合いを調整できる。特に、電子線殺菌部で電子線を容器に照射している間に、電磁石を構成するコイルに供給される電流をＯＮ／ＯＦＦさせたり、または電流の大きさを増減させたりする制御を行うこともできる。これにより、電子線の照射中に電子線の偏向度合いが変化することになり、電子線をスキャンさせることができ、容器口部の照射しにくい部分に対しても広い範囲で確実に照射することが可能となる。
【００１０】
磁石部による磁界は、容器の口部を横切るように印加するのが好ましい。これにより、容器の口部の内側を通る電子線を偏向させて容器の口部の内周面に照射させることができる。
また、磁石部による磁界は、容器の口部の外周側に磁力線が位置するよう印加してもよい。これにより、容器の口部の外周側を通る電子線を容器側に偏向させて、容器の口部の外周面に照射させることができる。
【００１１】
容器の口部の近傍に配置され、容器の側方に位置する電子線殺菌部から照射される電子線を反射して口部から容器の内部に照射する反射部材をさらに備えることもできる。
これにより、反射部材で反射した電子線を磁石部で発生する磁界によって偏向させ、容器の口部の殺菌を確実に行える。
このとき、反射部材で反射した電子線は、その速度が低減されるため、磁石部による電子線の偏向を効率良く行え、容器の口部内周面に確実に電子線を照射させることができる。
【００１２】
また、容器の口部から容器の内部に挿入配置され、導電性材料からなる棒状の電極をさらに備えることもできる。このようにすることで、電子線を照射させることによって容器を形成する材料内に蓄積される電子やイオンを容器外に除去することができ、容器の帯電を抑えることができる。
このような電極を容器の口部から容器内に挿入配置すると、容器の口部において、電子線を均一に照射しにくくなる。そこで、本発明を適用することで、電子線照射の均一化が計れるのである。
【００１３】
このような電子線殺菌装置は、容器の一方の側から電子線を照射する第一の電子線殺菌装置と、容器の他方の側から電子線を照射する第二の電子線殺菌装置と、から構成することもできる。
【発明の効果】
【００１４】
本発明によれば、容器保持部に設けられた磁石部において、容器の口部に容器の軸線方向に直交する方向の磁界を発生することで、容器の口部側から容器の軸線方向に向けて照射される電子線を偏向させ、容器の口部の内周面や外周面に電子線を確実に照射することができる。
しかも、容器保持部に、永久磁石や電磁石からなる磁石部を設けるのみであるため、装置の大型化、高コスト化を招くことなく、簡易な構成で上記効果を得ることができる。
【図面の簡単な説明】
【００１５】
【図１】本実施の形態における飲料充填設備の概要を示すレイアウト図である。
【図２】本実施形態における殺菌装置の概略構成を示す図である。
【図３】グリッパを示す平面図および斜視図である。
【図４】２台の殺菌装置を備える場合における、一方の殺菌装置のグリッパによる容器の把持方法と、他方の殺菌装置のグリッパによる容器の把持方法を示す図である。
【図５】永久磁石を備えたグリッパを示す平面図である。
【図６】殺菌装置に反射板を備えた構成を示す断面図である。
【図７】磁石により電子線が偏向される様子を示す図である。
【図８】２台の殺菌装置を備える場合における、一方の殺菌装置のグリッパによる電子線の偏向方向と、他方の殺菌装置のグリッパによる電子線の偏向方向を示す図である。
【図９】第二の実施形態におけるグリッパの構成を示す平面図である。
【図１０】第三の実施形態におけるグリッパの構成を示す平面図である。
【図１１】第四の実施形態におけるグリッパの構成を示す平面図である。
【発明を実施するための形態】
【００１６】
以下、添付図面に示す実施の形態に基づいてこの発明を詳細に説明する。
［第一の実施形態］
図１は、本実施の形態における飲料充填設備の概要を示す図である。
図１に示すように、飲料充填設備においては、供給されたＰＥＴ樹脂からなる容器に対し、殺菌装置１０において電子線照射により殺菌する殺菌工程、充填装置３０において容器に液体を充填する充填工程、液体が充填された容器にキャッパ４０においてキャップを装着するキャッピング工程、を順次経ることで、容器への飲料の充填が行われる。互いに前後する装置間においては、スターホイール５０や搬送コンベア６０により容器が搬送される。
なお、本実施形態においては、殺菌装置１０を２台備え、容器１００を一方の側と他方の側とからそれぞれ殺菌する構成を有している。以下の説明においては、２台の殺菌装置１０を区別する必要があるときには、殺菌装置１０Ａ、１０Ｂと示し、区別する必要のない説明を行う際には、単に殺菌装置１０と示す。
【００１７】
殺菌工程において用いられる殺菌装置１０は、容器を搬送しながら容器に電子線を照射して殺菌を行う。
殺菌装置１０は、円盤状の回転体１１の外周部に、図２に示すように、供給された容器１００を保持するグリッパ（容器保持具）１２と、グリッパ１２で保持した容器１００内に挿入される棒状の電極１３とが、周方向に間隔を隔てて複数組配置されている。
さらに、殺菌装置１０には、グリッパ１２で保持した容器１００に対して電子線を照射する電子線照射装置（電子線殺菌部）２０が、回転体１１の外周側に設けられている。
【００１８】
電子線照射装置２０は、電子線発生源２１と、ホーン２２と、コントローラ（図示無し）とを備える。
電子線発生源２１としては、いわゆる電子銃を用いることができる。この電子線発生源２１では、ビーム状の電子線を発生し、これを、容器１００に照射する。このとき、電子線照射装置２０には、図示しないスキャン用磁石が備えられている。スキャン用磁石は、それぞれ、印加される電流に応じて発生する磁界が変化するものであり、コントローラの制御により発生する磁界を変化させることで、電子線発生源２１で発生した電子線を所定の方向にスキャンさせるようになっている。ここで、電子線は容器１００の高さ方向にスキャンするのが望ましい。
ホーン２２は、電子線発生源２１から離れるに従い、その断面寸法が拡大する筒状で、スキャン用磁石によって電子線のスキャンを行っているときの、電子線の照射領域を取り囲むように設けられる。
【００１９】
グリッパ１２は、回転体１１と等速で回転するスターホイール５０等の容器搬送手段から一本ずつ受け渡される空の容器１００を、その首部１００ｃを挟み込むことで保持する。
図３に示すように、グリッパ（容器保持具）１２Ａ、１２Ｂは、それぞれ、ベース部材７０に、軸７１を介して回転可能に設けられ、ＳＵＳ３０４、ＳＵＳ３１６等の非磁性材料からなる一対のグリッパ爪７２、７２を有し、グリッパ爪７２、７２が図示しないアクチュエータによって開閉駆動される。
【００２０】
ここで、本実施形態においては、前述したように、殺菌装置１０を２台備えており、搬送方向上流側の殺菌装置１０Ａにおいては、容器１００に対し、一方の側面側から電子線を照射し、下流側の殺菌装置１０Ｂにおいては、容器１００に対し、他方の側面側から電子線を照射する。このため、上流側の殺菌装置１０Ａと下流側の殺菌装置１０Ｂとの間では、殺菌装置１０Ａのグリッパ１２Ａと、殺菌装置１０Ｂのグリッパ１２Ｂは、容器１００の受け渡し位置において容器１００を挟んで互いに対向するよう設けられている。
さらに、図４（ａ）に示すように、殺菌装置１０Ａのグリッパ１２Ａと殺菌装置１０Ｂのグリッパ１２Ｂとが干渉しないよう、殺菌装置１０Ａのグリッパ１２Ａのグリッパ爪７２、７２は、容器１００の首部１００ｃに形成された円環状のフランジ部１００ｆの上側を把持し、図４（ｂ）に示すように、殺菌装置１０Ｂのグリッパ１２Ｂのグリッパ爪７２、７２はフランジ部１００ｆの下側を把持する。
【００２１】
図５に示すように、このようなグリッパ１２Ａ、１２Ｂは、それぞれ、グリッパ爪７２、７２に永久磁石（磁石部）７３Ｎ、７３Ｓが設けられている。これら永久磁石７３Ｎ、７３Ｓは、それぞれ、グリッパ爪７２において容器１００に当たる部分がＮ極、Ｓ極とされ、これによって、グリッパ爪７２、７２間において、永久磁石７３Ｎから永久磁石７３Ｓへと向かう磁力線Ｍ１が形成される。
ここで、グリッパ爪７２、７２自体を永久磁石７３Ｎ、７３Ｓで形成してもよいし、グリッパ爪７２、７２の表面に別体の永久磁石７３Ｎ、７３Ｓを取り付けるようにしてもよい。グリッパ爪７２、７２の表面に別体の永久磁石７３Ｎ、７３Ｓを取り付ける場合は、容器１００のフランジ部１００ｆの上側を把持するグリッパ１２Ａにおいては、永久磁石７３Ｎ、７３Ｓをグリッパ爪７２、７２の上面に取り付け、フランジ部１００ｆの下型を把持するグリッパ１２Ｂにおいては、永久磁石７３Ｎ、７３Ｓをグリッパ爪７２、７２の下面に取り付ける。
【００２２】
図２に示したように、グリッパ１２Ａ、１２Ｂで保持された容器１００に対し、電極１３を、図示しないシリンダ機構等によって挿入する構成とすることもできる。
電極１３は、例えばステンレス、タングステン等からなる導電性材料からなり、棒状で、その長さは、容器１００内に挿入されたときに、容器１００の口部１００ａから底部１００ｂの近傍まで位置するよう設定されている。
【００２３】
ここで、電極１３の構成について示す。
図６に示すように、容器１００の口部１００ａの近傍に、容器１００の側方に位置する電子線照射装置２０から照射される電子線ＥＢを反射し、容器１００の口部１００ａから内部に向けて照射させる反射板（反射部材）８０が設けられている。
そして、電極１３は、この反射板８０に一体に設けることができる。
【００２４】
上記したような電極１３は、接地することができる。また、電極１３に、直流電源から、電圧を印加した状態とすることもできる。
殺菌装置１０においては、グリッパ１２で保持した容器１００を後工程側のスターホイール５０に受け渡すまでの間に、電子線照射装置２０の電子線発生源２１から電子線ＥＢを容器１００の外部から照射することで、容器１００を殺菌する。それと同時に、接地、または直流電源からの電圧が印加されて一定電圧とされた電極１３が容器１００内に挿入されることで、電子線照射を行うことで容器１００を形成する材料であるＰＥＴ膜内に蓄積した電荷を除去し、殺菌と除電を当時に行うことができる。
【００２５】
さらに、図２に示したように、電極１３には、交流電源（交流電圧印加源）１５を接続し、交流の電圧を印加することもできる。
このとき、印加する交流電流は、誘電体である容器１００に対して十分な損失作用及び電流通電作用をもたらす周波数が好適であり、１００Ｈｚ以上は必要であり、ｋＭＨｚ〜ＭＨｚ程度がより望ましい。
この場合、電子線ＥＢを容器１００の外部から照射して容器１００を殺菌すると同時に、交流の電圧が印加された電極１３が容器１００内に挿入される。これにより、電子線照射を行うことで容器１００を形成する材料であるＰＥＴ膜内に蓄積した電荷を除去し、殺菌と除電を当時に行う。
【００２６】
上述したような構成によれば、殺菌装置１０Ａ、１０Ｂのそれぞれにおいて、容器１００の口部１００ａの近傍に反射板８０が設けられているため、容器１００の側方の電子線照射装置２０から照射される電子線ＥＢは反射板８０で反射し、容器１００の口部１００ａから内部に向けて照射される。
このとき、容器１００を保持するグリッパ１２のグリッパ爪７２、７２に永久磁石７３Ｎ、７３Ｓが設けられているため、グリッパ爪７２、７２間において、永久磁石７３Ｎから永久磁石７３Ｓへと向かう磁力線Ｍ１が形成される。すると、フレミングの左手の法則に従って、電子線ＥＢは、電子線ＥＢの流れ方向および磁力線Ｍ１の方向に直交する方向に偏向される。
その結果、図７に示すように、電子線ＥＢが、容器１００の口部１００ａの内周面に当たりやすくなり、この部分の殺菌を確実に行うことができる。
さらに、電子線ＥＢは、反射板８０で反射することによって、その速度が低減しており、これによって、電子線ＥＢの偏向を効率良く行うことができ、上記効果は一層顕著なものとなっている。
加えて、図８に示すように、２台の殺菌装置１０Ａ、１０Ｂにおいて、グリッパ１２Ａ、１２Ｂにより、容器１００を一方の側と他方の側から保持しているので、殺菌装置１０Ａのグリッパ１２Ａにおける電子線ＥＢの偏向方向Ｈａと、殺菌装置１０Ｂのグリッパ１２Ｂにおける電子線ＥＢの偏向方向Ｈｂを相対する方向とすることができる。これによっても、容器１００の口部１００ａの内周面の全周にわたって確実な殺菌が行える。
【００２７】
次に、本発明の複数の応用例を示す。ここで、以下に示す各実施形態においては、上記第一の実施形態に対し、グリッパ１２Ａ、１２Ｂに備えた磁石の構成が異なるのみであるため、上記第一の実施形態に対する相違点を中心に説明し、上記第一の実施形態と共通する構成については説明を省略する。
［第二の実施形態］
本実施形態においては、図９に示すように、殺菌装置１０Ａ、１０Ｂのグリッパ１２Ａ、１２Ｂのグリッパ爪７２、７２に、電磁石（磁石部）７５Ｎ、７５Ｓが設けられている。
電磁石７５Ｎ、７５Ｓは、それぞれ、鉄心にコイルを巻き付けたもので、コイルに所定方向の電流を流すことによって磁界を発生する。
ここで、電磁石７５Ｎ、７５Ｓは、グリッパ爪７２、７２に埋め込むように内蔵することもできる。また、電磁石７５Ｎ、７５Ｓをグリッパ爪７２、７２に取り付けることもできる。後者の場合、容器１００のフランジ部１００ｆの上側を把持するグリッパ１２Ａにおいては、電磁石７５Ｎ、７５Ｓをグリッパ爪７２、７２の上面に取り付け、フランジ部１００ｆの下型を把持するグリッパ１２Ｂにおいては、電磁石７５Ｎ、７５Ｓをグリッパ爪７２、７２の下面に取り付ける。
【００２８】
これら電磁石７５Ｎ、７５Ｓは、それぞれ、グリッパ爪７２において容器１００に当たる部分がＮ極、Ｓ極とされ、これによって、グリッパ爪７２、７２間において、電磁石７５Ｎから電磁石７５Ｓへと向かう磁力線Ｍ１が形成される。
【００２９】
上述したような構成によれば、上記第一の実施形態と同様、電磁石７５Ｎ、７５Ｓにより発生した磁界により電子線ＥＢを偏向させることにより、電子線ＥＢが、容器１００の口部１００ａの内周面に当たりやすくなり、この部分の殺菌を確実に行うことができる。
【００３０】
さらに、上記したような構成においては、電子線ＥＢを照射している間に、電磁石７５Ｎ、７５Ｓのコイルに供給する電流をＯＮ／ＯＦＦさせることもできる。これにより、電子線ＥＢが偏向した状態と、偏向していない状態との間で電子線ＥＢをスキャンさせることができ、より均一に電子線ＥＢを照射することができる。
【００３１】
また、電子線ＥＢを照射している間に、電磁石７５Ｎ、７５Ｓのコイルに供給する電圧（交流電圧）の強度を変化させることもできる。これによって、電子線ＥＢを偏向させる曲率を変更させることができ、電子線ＥＢを容器１００の高さ方向にスキャンさせ、より均一な電子線照射が行える。
【００３２】
加えて、電子線ＥＢを照射している間に、電磁石７５Ｎ、７５Ｓのコイルに供給する電流の向きを入れ替えることもできる。これによって、電子線ＥＢの偏向方向を１８０°入れ替えることができ、これによっても、容器１００の口部１００ａの内周面全体に電子線ＥＢを均一に照射できる。
【００３３】
［第三の実施形態］
本実施形態においては、図１０に示すように、殺菌装置１０Ａ、１０Ｂのグリッパ１２Ａ、１２Ｂに、容器１００を把持する部分よりもベース部材７０側に、電磁石（磁石部）７６Ｎ、７６Ｓが設けられている。
ここで、電磁石７６Ｎ、７６Ｓを結んだ仮想線Ｌが、容器１００の口部１００ａの外周側を通るよう、電磁石７６Ｎ、７６Ｓが設けられている。
【００３４】
このような構成によれば、容器１００を保持するグリッパ１２に電磁石７６Ｎ、７６Ｓが設けられているため、電磁石７６Ｎ、７６Ｓ間において磁力線Ｍ２が形成される。すると、フレミングの左手の法則に従って、電子線ＥＢは、電子線ＥＢの流れ方向および磁力線Ｍ２の方向に直交する方向Ｈｃに偏向される。
その結果、容器１００の口部１００ａの周囲を通る電子線ＥＢが、容器１００の口部１００ａの外周面に当たりやすくなる。したがって、グリッパ１２のグリッパ爪７２、７２間の電子線ＥＢの当たりにくい部分の殺菌を確実に行うことができる。
この場合も、電子線ＥＢは、反射板８０で反射することによって、その速度が低減しており、これによって、電子線ＥＢの偏向を効率良く行うことができ、上記効果は一層顕著なものとなっている。
【００３５】
［第四の実施形態］
本実施形態においては、上記第二の実施形態と第三の実施形態を組み合わせた構成を有している。
すなわち、図１１（ａ）に示すように、殺菌装置１０Ａ、１０Ｂのグリッパ１２Ａ、１２Ｂのグリッパ爪７２、７２において容器１００を把持する部分に電磁石７５Ｎ、７５Ｓが設けられ、容器１００を把持する部分よりもベース部材７０側に電磁石７６Ｎ、７６Ｓが設けられている。ここで、電磁石７５Ｎ、７５Ｓと、電磁石７６Ｎ、７６Ｓは、その磁力線Ｍ１、Ｍ２の向きが反対向きとなるように配置するのが好ましい。
【００３６】
このような構成によれば、電磁石７５Ｎ、７５Ｓにより発生した磁界により電子線ＥＢを偏向させることにより、電子線ＥＢが、容器１００の口部１００ａの内周面に当たりやすくなり、この部分の殺菌を確実に行うことができる。また、電磁石７６Ｎ、７６Ｓにより、容器１００の口部１００ａの周囲を通る電子線ＥＢが、容器１００の口部１００ａの外周面に当たりやすくなる。したがって、グリッパ１２のグリッパ爪７２、７２間の電子線ＥＢの当たりにくい部分の殺菌を確実に行うことができる。このようにして、容器１００の内周面および外周面の殺菌を確実に行うことが可能となる。
この場合も、電子線ＥＢは、反射板８０で反射することによって、その速度が低減しており、これによって、電子線ＥＢの偏向を効率良く行うことができ、上記効果は一層顕著なものとなっている。
【００３７】
ここで、上記電磁石７５Ｎ、７５Ｓ、７６Ｎ、７６Ｓは、図１１（ｂ）に示すように、Ｃ字状のヨーク７８、７９を備えるような構成とすることもできる。これらヨーク７８、７９により、磁力線が閉ループを構成するので、磁場のロスが少なくなり、容器１００内外における磁場を効率よく作用させることができる。
【００３８】
なお、上記各実施の形態では、飲料充填設備、殺菌装置１０の各部の構成を示したが、本発明の主旨の範囲内であればいかなる構成のものとしても良い。
また、電極１３、反射板８０の構成も、上記に挙げた構成に限らず、本発明の主旨の範囲内であればいかなる構成のものとしても良い。
また、本発明において反射板８０は必須ではなく、反射板８０を備えずに、容器１００の口部１００ａ側から、容器１００の軸線方向に電子線ＥＢを照射する場合にも本発明は適用できる。
例えば、図２では容器１００を正立状態とし、図６の例では容器１００を倒立状態としているが、そのいずれとしてもよい。
また、図１の例においては、殺菌装置１０を２台備え、容器１００を一方の側と他方の側とからそれぞれ殺菌する構成を有しているが、これに限るものではない。
これ以外にも、本発明の主旨を逸脱しない限り、上記実施の形態で挙げた構成を取捨選択したり、適宜組み合わせたり、他の構成に適宜変更することが可能である。
【符号の説明】
【００３９】
１０、１０Ａ、１０Ｂ  殺菌装置
１１  回転体
１２、１２Ａ、１２Ｂ  グリッパ（容器保持具）
１３  電極
２０  電子線照射装置（電子線殺菌部）
２１  電子線発生源
２２  ホーン
３０  充填装置
４０  キャッパ
５０  スターホイール
６０  搬送コンベア
７０  ベース部材
７１  軸
７２  グリッパ爪
７３Ｎ、７３Ｓ  永久磁石（磁石部）
７５Ｎ、７５Ｓ  電磁石（磁石部）
７６Ｎ、７６Ｓ  電磁石（磁石部）
７８  ヨーク
８０  反射板
１００  容器
１００ａ  口部
１００ｂ  底部
１００ｃ  首部
Ｍ１、Ｍ２  磁力線
【図１】
0005848037.tif 000002
【図２】
0005848037.tif 000003
【図３】
0005848037.tif 000004
【図４】
0005848037.tif 000005
【図５】
0005848037.tif 000006
【図６】
0005848037.tif 000007
【図７】
0005848037.tif 000008
【図８】
0005848037.tif 000009
【図９】
0005848037.tif 000010
【図１０】
0005848037.tif 000011
【図１１】
0005848037.tif 000012